(57)【要約】【課題】熱湯を注いで調理する即席食品を収納する容器本体の蓋材において、蒸らし調理中に容器を移動させても、熱湯が漏れたりしない蓋材を提供するものである。【解決手段】容器本体にシールされる摘み部付き蓋材において、外蓋と内蓋が剥離層を介して積層された積層体からなり、内蓋に、第一内蓋切れ目線が形成され、熱湯注入口形成部を形成する第二内蓋切れ目線が形成され、第二内蓋切れ目線の開封方向外側に、外周縁の一方の端縁から他方の端縁まで開封方向に凸状の第三内蓋切れ目線が形成され、外蓋に、第二内蓋切れ目線と第三内蓋切れ目線との間に、第一外蓋切れ目線が、外周縁の一方の端縁と他方の端縁から開封方向に第三内蓋切れ目線の凸部近傍まで、繋ぎ部を挟んでそれぞれ左右対象に形成され、第三内蓋切れ目線の開封方向外側に、外周縁の一方の端縁から他方の端縁まで開封方向に凸状の第二外蓋切れ目線が形成されてなることを特徴とする蓋材である。【選択図】図１
2014084130.tif 000002
【特許請求の範囲】
【請求項１】
容器本体のフランジ部にシールされる蓋材において、
外蓋と内蓋が剥離層を介して剥離可能に積層された積層体からなり、外周縁に外方に突出する摘み部が形成された蓋材であって、
前記内蓋には、前記摘み部の基部近傍に、開封方向と直交方向に外蓋を内蓋から剥離する第一内蓋切れ目線が形成され、
中央部近傍に、熱湯注入口形成部を形成する第二内蓋切れ目線が形成され、
前記第二内蓋切れ目線の開封方向外側に、外周縁の一方の端縁から他方の端縁まで開封方向に向かって凸状の第三内蓋切れ目線が形成され、
前記外蓋には、前記第二内蓋切れ目線と前記第三内蓋切れ目線との間に、第一外蓋切れ目線が、外周縁の一方の端縁と他方の端縁から開封方向に向かって前記第三内蓋切れ目線の凸部近傍まで、繋ぎ部を挟んでそれぞれ左右対象に形成され、
前記第三内蓋切れ目線の開封方向外側に、外周縁の一方の端縁から他方の端縁まで開封方向に向かって凸状の第二外蓋切れ目線が形成されてなることを特徴とする蓋材。
【請求項２】
前記第一内蓋切れ目線、前記第二内蓋切れ目線および前記第三内蓋切れ目線が、前記外蓋と前記内蓋が積層された後に、前記内蓋の内面から内蓋を貫通するハーフカットにより形成されてなることを特徴とする請求項１記載の蓋材。
【請求項３】
前記第一外蓋切れ目線、前記第二外蓋切れ目線が、前記外蓋と前記内蓋が積層された後に、前記外蓋の外面から外蓋を貫通するハーフカットにより形成されてなることを特徴とする請求項１または２記載の蓋材。
【発明の詳細な説明】
【技術分野】
【０００１】
本発明は、カップ麺などの即席食品を収納する容器の蓋材に関するものであり、更に詳しくは、予め味付けされ、具入りのカップ麺などの即席食品を食する際、蓋材を開封し、熱湯を注いで再封し蒸らし調理を行う際、カップを持って移動し揺れや振動などが発生しても、熱湯が容器から漏れるのを防止する蓋材に関するものである。
【背景技術】
【０００２】
熱湯を注いで調理する即席食品を収納する容器としては、カップ状やどんぶり状の容器がある。これらの容器は、ポリスチレン樹脂容器、ポリプロピレン樹脂容器、また紙にポリエチレンフィルムを積層した積層材料からなる容器などがある。
【０００３】
一方、蓋材は、容器本体から蓋材を中央部近傍まで開封し、熱湯を注ぎ、開封した蓋材を容器本体に再封し蒸らし調理が行う。よって蓋材には、容易に開封および再封し易いものが使用されている。
【０００４】
しかし、再封された蓋材は、容器本体に覆い被せられた状態のために、蒸らし調理中に容器を持って移動したりすると、容器本体と蓋材の隙間から熱湯が漏れる場合があり、火傷の問題がある。
【０００５】
従来、蓋材には、デッドホールド性を付加するためにアルミニウム箔を積層したものが多い。これは、この特性を利用して、蓋材を半開きの状態に保ったまま、熱湯を注ぎ、再封する時も、蓋材に設けられた摘み部を容器本体のフランジ部に折り込むなど簡単な操作で再封が維持できるために使用されている。
【０００６】
さらに再封を向上させるために、紙を主体とし最内層にシーラント層を設けた積層シートからなる摘み部付き蓋材であって、この蓋材には摘み部から略等距離に位置する端縁の２点を結ぶレーザーで形成されたシーラント層まで達しない切り込みを形成する提案がある（特許文献１）。
【０００７】
さらに、アルミニウム箔を使用しない積層体からなる蓋材で、外周縁には開封用摘み部を設けた再封状態保持機能付き蓋材であって、表基材層と、プラスチックフィルム層が積層された積層体からなり、蓋材の容器本体のフランジ部と熱融着する周縁部を除いた裏面部に、開封方向と直交する方向に延びる１列または複数列の再封状態保持機能形成用のハーフカット線が、該プラスチックフィルム層内面側から該表基材層に至る範囲で設けた提案がある（特許文献２）。
【０００８】
しかし、これらの蓋材は、熱湯を注いで蒸らし調理をする際、蓋材を容器本体に覆い被せた状態で蒸らし調理するために、蒸らし調理中に容器本体を移動させたりすると、容器本体と蓋材の隙間から熱湯が漏れて火傷の問題がある。
【０００９】
よって、蒸らし調理中に容器本体を移動しても熱湯が漏れたりせず、安全に取り扱うことができる蓋材が要望されている。
【先行技術文献】
【特許文献】
【００１０】
【特許文献１】特開２００１―３１５８３４号公報
【特許文献２】特開２００６−２９８３８０号公報
【発明の概要】
【発明が解決しようとする課題】
【００１１】
熱湯を注いで調理する即席食品を収納する容器本体の蓋材において、熱湯を注いで蒸らし調理する際、蒸らし調理中に容器を移動させても、熱湯が漏れたりせず、安全に取り扱うことができる蓋材を提供するものである。
【課題を解決するための手段】
【００１２】
本発明の請求項１に係る発明は、容器本体のフランジ部にシールされる蓋材において、外蓋と内蓋が剥離層を介して剥離可能に積層された積層体からなり、外周縁に外方に突出する摘み部が形成された蓋材であって、
前記内蓋には、前記摘み部の基部近傍に、開封方向と直交方向に外蓋を内蓋から剥離する第一内蓋切れ目線が形成され、
中央部近傍に、熱湯注入口形成部を形成する第二内蓋切れ目線が形成され、
前記第二内蓋切れ目線の開封方向外側に、外周縁の一方の端縁から他方の端縁まで開封方向に向かって凸状の第三内蓋切れ目線が形成され、
前記外蓋には、前記第二内蓋切れ目線と前記第三内蓋切れ目線との間に、第一外蓋切れ目線が、外周縁の一方の端縁と他方の端縁から開封方向に向かって前記第三内蓋切れ目線の凸部近傍まで、繋ぎ部を挟んでそれぞれ左右対象に形成され、
前記第三内蓋切れ目線の開封方向外側に、外周縁の一方の端縁から他方の端縁まで開封方向に向かって凸状の第二外蓋切れ目線が形成されてなることを特徴とする蓋材である。
【００１３】
本発明の請求項２に係る発明は、前記第一内蓋切れ目線、前記第二内蓋切れ目線および前記第三内蓋切れ目線が、前記外蓋と前記内蓋が積層された後に、前記内蓋の内面から内蓋を貫通するハーフカットにより形成されてなることを特徴とする請求項１記載の蓋材である。
【００１４】
本発明の請求項３に係る発明は、前記第一外蓋切れ目線、前記第二外蓋切れ目線が、前記外蓋と前記内蓋が積層された後に、前記外蓋の外面から外蓋を貫通するハーフカットにより形成されてなることを特徴とする請求項１または２記載の蓋材である。
【発明の効果】
【００１５】
本発明の蓋材は、蒸らし調理中では、熱湯注入口以外の内蓋は、容器本体にシールされた状態であるために、容器本体を持って移動し揺れや振動などが発生しても、容器本体と蓋材の隙間から熱湯が漏れたりせず、安全に取り扱うことができる。
【００１６】
本発明の請求項１によれば、蓋材は、外蓋と内蓋が剥離層を介して剥離可能に積層されている。内蓋には、摘み部の基部近傍に、開封方向と直交方向に外蓋を内蓋から剥離する第一内蓋切れ目線が形成され、また中央部近傍に熱湯注入口形成部を形成する第二内蓋切れ目線が形成されている。摘み部を掴み開封していくと、第一内蓋切れ目線から外蓋が内蓋より剥離し、次いで第二内蓋切れ目線から熱湯注入口形成部が切れ取られ、熱湯注入口が形成される。さらに外蓋は、第一外蓋切れ目線の部位まで剥離されるが、繋ぎ部にて止まる。
【００１７】
次に熱湯注入口から熱湯を注いだ後に、外蓋を内蓋に覆い被せ（熱湯注入口に覆い被せ）、再封状態にし、蒸らし調理する。本発明の蓋材は、熱湯注入口以外のところは、内蓋がシールされている状態であり、蒸らし調理中に、容器本体を移動し揺れや振動などが発生しても、容器本体と蓋材の隙間から熱湯が漏れない。よって火傷の心配がない。また熱湯の温度低下を防ぐことができ、蒸らし効果の低下を防ぐことができる。
【００１８】
蒸らし調理後は、摘み部を開封方向とは反対の方向に引っ張り、即ち繋ぎ部を引っ張ることにより、外蓋に形成された第二外蓋切れ目線から外蓋が内蓋から剥離し、次いで内蓋に形成された第三内蓋切れ目線から内蓋が切れ第一内蓋切れ目線まで残存している内蓋を容器のフランジ部から剥離する。容器本体には、開口部が出現され内容物を食することができる。
【００１９】
本発明の請求項２によれば、第一内蓋切れ目線、第二内蓋切れ目線および第三内蓋切れ目線が、外蓋と内蓋が積層された後に、内蓋の内面から内蓋を貫通するハーフカットにより形成されてなることにより、蓋材の所定の位置に第一内蓋切れ目線、第二内蓋切れ目線および第三内蓋切れ目線を容易に形成することができる。
【００２０】
本発明の請求項３によれば、第一外蓋切れ目線および第二外蓋切れ目線が、外蓋と内蓋が積層された後に、外蓋の外面から外蓋を貫通するハーフカットにより形成されてなることにより、蓋材の所定の位置に第一外蓋切れ目線および第二外蓋切れ目線を容易に形成することができる。
【図面の簡単な説明】
【００２１】
【図１】本発明の蓋材の一例を示す平面図である。
【図２】図１のＬ−Ｌ´面を示す説明図である。
【図３】本発明の密封容器の一例を示す説明図である。
【図４】図３の蓋材で熱湯注入口を形成した一例を示す説明図である。
【図５】図４の蓋材を再封した状態を示す説明図である。
【図６】図５の蓋材を開封するときの状態の一例を示す説明図である。
【図７】図６の蓋材を開封した状態の一例を示す説明図である。
【図８】本発明の蓋材の層構成の一例を示す説明図である。
【発明を実施するための形態】
【００２２】
以下、本発明を実施するための形態につき説明する。
【００２３】
図１は、本発明の蓋材の一例を示す平面図である。蓋材１は、容器本体の開口部の形状と略同等の形状に形成され、外周縁に外方に突出する摘み部５が形成されている。内蓋３には、摘み部の基部近傍に、開封方向Ａと直交方向に外蓋を内蓋から剥離する第一内蓋切れ目線６が形成されている。中央部近傍には、第二内蓋切れ目線７を介して熱湯注入口形成部１１が形成されている。第二内蓋切れ目線７の開封方向外側には、外周縁の一方の端縁から他方の端縁まで開封方向に向かって凸状の第三内蓋切れ目線８が形成されている。
【００２４】
外蓋２には、第二内蓋切れ目線７と第三内蓋切れ目線８との間に、第一外蓋切れ目線９が、外周縁の一方の端縁と他方の端縁から開封方向に向かって第三内蓋切れ目線８の凸部近傍まで、繋ぎ部１３を挟んでそれぞれ左右対象に形成されている。また第三内蓋切れ目線８より開封方向外側に、外周縁の一方の端縁から他方の端縁まで開封方向に向かって凸状の第二外蓋切れ目線１０が形成されている。
【００２５】
図２は、図１のＬ−Ｌ´面を示す説明図である。蓋材１は、外蓋２と内蓋３が、剥離層４を介して剥離可能に積層された積層体からなっている。蓋材１は、右側端部に摘み部５が形成されている。また内蓋３には、摘み部の基部近傍に第一内蓋切れ目線６が、中央部近傍に第二内蓋切れ目線７により熱湯注入口形成部１１が形成されている。また第三内蓋切れ目線８が、第二内蓋切れ目線７の開封方向外側に形成されている。
【００２６】
外蓋２には、熱湯注入口形成部１１の開封方向外側に第一外蓋切れ目線９が形成され、さらに第一外蓋切れ目線９の開封方向外側に、かつ第三内蓋切れ目線８の開封方向外側に
、第二外蓋切れ目線１０が形成されている。
【００２７】
第三内蓋切れ目線８は、第一外蓋切れ目線９と第二外蓋切れ目線１０との間で、図２に示すように中間の部位になるように形成するとよい。特に等間隔にすることで、ハーフカットの加工がし易くなり望ましい。
【００２８】
図３は、本発明の密封容器の一例を示す説明図である。密封容器３０は、容器本体１４のフランジ部１５に蓋材１がシールされて密封されている。右側端縁部には、摘み部５が形成されている。
【００２９】
図４は、図３の蓋材で熱湯注入口を形成した一例を示す説明図である。蓋材１の摘み部５を開封方向Ａに引っ張ると、第一内蓋切れ目線６から外蓋２が内蓋３より剥離し、次いで第二内蓋切れ目線７から熱湯注入口形成部１１が外蓋と共に切り取られ熱湯注入口１２が形成される。次いで外蓋２を剥離しながら、第一外蓋切れ目線９の繋ぎ部１３の部位で止まる。
【００３０】
図５は、図４の蓋材を再封した状態を示す説明図である。熱湯注入口１２から熱湯を注ぎ、その後外蓋２を再封し蒸らし調理している状態を示している。内蓋３は、熱湯注入口１２以外は容器本体１４のフランジ部１５にシールされているために、容器本体を移動し揺らされても熱湯が容器本体１４と蓋材の隙間から漏れることはない。安全に取り扱うことができる。
【００３１】
図６は、図５の蓋材を開封するときの状態の一例を示す説明図である。容器本体１４から蓋材を開封する際、摘み部５を掴み、繋ぎ部１３を開封方向と反対方向に引っ張り、第二外蓋切れ目線１０から第三内蓋切れ目線８を切り、熱湯注入口が形成された内蓋３を容器本体１４から剥離している状態を示している。
【００３２】
図７は、図６の蓋材を開封した状態の一例を示す説明図である。蓋材１は、容器本体１４のフランジ部から剥離され、開口部１６が出現されている状態を示している。
【００３３】
本発明を実施するための形態につき、さらに詳しく説明する。
【００３４】
本発明の蓋材は、図２に示しように外蓋２と内蓋３が剥離層４を介して積層された積層体からなっている。図８は、本発明の蓋材の層構成の一例を示している。外蓋２は、紙層２２の表面にはプラスチックフィルム２１が積層されている。また内蓋３は、アルミニウム箔２７の表面にプラスチックフィルム２６が、裏面にはシーラント層２８が積層されている。
【００３５】
外蓋の紙層２２としては、アート紙。コート紙、上質紙、晒クラフト紙などが挙げられるが、特に限定されるものではない。坪量については、特に限定されないが、９０〜２５０ｇ／ｍ２の範囲が好ましく、９０〜１５０ｇ／ｍ２の範囲がより好ましい。
【００３６】
また紙層の表面にプラスチックフィルムを積層し、耐水性、耐油性、耐摩耗性を向上させることができる。プラスチックフィルム２１としては、ポリエチレン、ポリプロピレン、ポリエステルなどのフィルムが使用できる。フィルムの厚さは、６〜２５μｍの範囲が好ましい。
【００３７】
内蓋には、アルミニウム箔２７とシーラント層２８が積層されたものを使用することができる。アルミニウム箔２７は、通常食品用途の包装材に使用される７〜１２μｍの範囲が好ましい。アルミニウム箔を設けることで、蓋材の遮光性が向上し、かつ酸素ガスバリ
ア性および水蒸気バリア性を向上させることができる。またアルミニウム箔の表面にプラスチックフィルム２６、例えばポリエステルフィルムなど積層することができる。プラスチックフィルムを設けることで、剥離層の剥離性を安定して行うことができる。
【００３８】
次に、紙層２２の裏面に剥離層４を積層する。また剥離性を向上されるために、紙層２２に目止め層２３を形成し剥離層４を積層してもよい。
【００３９】
シーラント層２８は、通常イージーピール性を有する樹脂を押出しラミネートして形成される。イージーピールの特性については特に限定されず、凝集剥離タイプ、層間剥離タイプ、界面剥離タイプのいずれのタイプを用いてもよい。
【００４０】
凝集破壊タイプは、シーラント層自体が凝集破壊するタイプで、ポリプロピレン、ポリエチレン、ポリスチレンなどの樹脂を混合した樹脂を用いて、フィルム化したものを使用することができる。
【００４１】
層間剥離タイプは、共押出し法にて三層フィルムを作成し、中間から剥離するものである。この共押出しフィルムを使用することができる。
【００４２】
界面剥離タイプは、例えば、エチレン−酢酸ビニル共重合体樹脂の酢酸ビニルの混合比率を上げた樹脂を用いて、フィルム化したものを使用することができる。
【００４３】
シーラント層２８としては、容器本体がポリエチレン樹脂の場合は、ベース樹脂／ブレンド用の熱可塑性樹脂の組合せとしては、ポリエチレン樹脂／エチレン−メタクリル酸共重合体樹脂、ポリエチレン樹脂／エチレン−酢酸ビニル共重合体樹脂、ポリエチレン樹脂／エチレン−アクリル酸共重合体樹脂、ポリエチレン樹脂／エチレン−アクリル酸エチル共重合体樹脂などが好ましい。
【００４４】
容器本体がポリスチレン樹脂の場合は、ベース樹脂／ブレンド用の熱可塑性樹脂の組合せとしては、エチレン−酢酸ビニル共重合体樹脂／ポリブテン樹脂、ポリエチレン樹脂＋エラストマー＋石油樹脂／ポリブテン樹脂の組合せが好ましい。
【００４５】
容器本体がポリプロピレン樹脂の場合は、ベース樹脂／ブレンド用の熱可塑性樹脂の組合せとしては、ポリプロピレン樹脂／ポリスチレン樹脂、ポリプロピレン樹脂／ポリエチレン樹脂の組合せが好ましい。
【００４６】
シーラント層の厚さは、シール強度、加工性を考慮すると、１５〜８０μｍの範囲であることが好ましく、２０〜７０μｍの範囲がより好ましい。 押出し機を用いてフィルム化して使用することができる。
【００４７】
剥離層４は、外蓋と内蓋を接着させながら剥離する機能を有している剥離樹脂から形成される。例えば、ポリスチレン、ポリα−メチルスチレン等のスチレン系樹脂、ポリメタクリル酸メチル、ポリアクリル酸エチル等を含むアクリル系樹脂やスチレンとの共重合体、ポリ塩化ビニル、ポリ酢酸ビニル、塩化ビニル−酢酸ビニル共重合体、ポリビニルブチラール、ポリビニルアセタール等のビニル系樹脂、ポリエステル樹脂、ポリアミド樹脂、エポキシ樹脂、ポリウレタン樹脂、石油樹脂、アイオノマー、エチレン−アクリル酸共重合体、エチレン−アクリル酸エステル共重合体等の合成樹脂、ニトロセルロース、エチルセルロース、セルロースアセテートプロピオネート等のセルロース誘導体、ロジン、ロジン変性マレイン酸樹脂、エステルガム、ポリイソブチレンゴム、ブチルゴム、スチレン−ブタジエンゴム、ブタジエン−アクリロニトリルゴム、ポリ塩素化オレフィン等の天然樹脂や合成ゴムの誘導体、カルナバワックス、パラフィンワックス等のワックス類などが使用できる。また、これら樹脂に脂肪系アミド樹脂やシリコン系樹脂などの離型剤を加えて、剥離し易く調整することができる。また接着層との親和力が小さいもの、例えば、酸化亜鉛、酸化チタン、炭酸カルシウム、カオリン、活性白土、球状アルミナ、シリカ、ガラス粉末などを加えてもよい。これらの材料を組み合わせて適宜使用することができる。
【００４８】
剥離層４を形成する方法としては、上記の樹脂を、溶剤に溶解または分散して塗布液を形成し、該塗布液をグラビアコート、オフセットコート、フレキソコート、シルクスクリーンコート、インクジェットコートなど公知の方法で塗布することで可能である。例えば、上記塗布液を用いてクラビアコートしドライラミネートして、外蓋と内蓋を積層し積層体を形成することができる。紙層の裏面に目止め層２３を形成しておくことにより、一層剥離性が向上させることができる。
【００４９】
このように作成した積層体２０にそれぞれ切れ目線を形成する。内蓋３には、第一内蓋切れ目線６、第二内蓋切れ目線７および第三内蓋切れ目線８を、所定の部位に内面から内蓋を貫通するようにハーフカットする。また外蓋２には、第一外蓋切れ目線９、第二外蓋切れ目線１０を所定の部位に外蓋の外面から外蓋を貫通するようにハーフカットする。
【００５０】
特に第一外蓋切れ目線と第二外蓋切れ目線の間の中間の位置に第三内蓋切れ目線を形成する。例えばφ９５の蓋材であれば、１ｍｍが必要である。１ｍｍ未満では、ハーフカットが重なる場合がある。また１．５ｍｍ以上では、摘み部を掴み、繋ぎ部を引っ張る時に、第三外蓋切れ目線から切ることが困難となる。
【００５１】
ハーフカットは公知の方法で可能である。例えば、ハーフカットは、ミシン目線加工により可能である。金属刃を用いたトムソン抜き型、ロータリーダイ、レーザーにより可能である。
【００５２】
また熱湯注入口の形状は、円、半円、四角状など形状がよく、特に熱湯が注ぎ易い注入口が形成できれば形状にとらわれない。
【００５３】
本発明の蓋材は、内蓋と容器本体がシールされた状態で、内蓋の中央部近傍に熱湯注入口を形成されるために、内蓋と容器本体との隙間がないために、容器本体を移動し揺れや振動などが発生しても、熱湯が容器本体と蓋材の隙間から漏れたりしない。また食する際には、熱湯注入口が形成された内蓋を容器本体から剥離することで食べ易くすることができる。
【００５４】
以下、本発明の具体的実施例について説明する。
【実施例】
【００５５】
紙層として、坪量が７９．１ｇ／ｍ２の片アート紙を用い、表面に厚み１２μｍのポリエステルフィルムを、ウレタン系接着剤を介して貼り合わせ、外蓋を形成した。
【００５６】
次にアルミニウム箔９μｍとポリエステルフィルム１２μｍをウレタン系接着剤を介して貼り合わせた。次いでアルミニウム箔面に、エチレン−酢酸ビニル共重合体樹脂／ポリブテン樹脂からなる樹脂を押出し機により押出しシーラント層を形成し、内蓋を作成した。シーラント層の厚みは２０μｍとした。
【００５７】
外蓋の裏面に硝化綿とウレタン樹脂からなる目止め層をグラビア印刷により形成した。塗布量は、１ｇ／ｍ２であった。次に剥離層を形成するために、アクリル樹脂にシリコン系樹脂を加えた混合樹脂に溶剤を加えて塗布液を作成し、該塗布液を用いてグラビアコートしドライラミネートにより、外蓋と内蓋を貼り合わせ積層体を作成した。剥離層の塗布
量は３ｇ／ｍ２であった。
【００５８】
次に積層体の内面から第一内蓋切れ目線、第二内蓋切れ目線、第三内蓋切れ目線を所定の部位にハーフカットした。また外面から第一外蓋切れ目線、第二外蓋切れ目線を所定の部位にハーフカットした。最後に容器本体の形状に合わせ、かつ外周縁に外方に突出する摘み部を有する形状で外形抜きを行い、蓋材を作成した。ハーフカットおよび外形抜きは、金属刃を用いてトムソン抜き機にて行った。蓋はφ９５ｍｍ、熱湯注入口形成部の形状はφ４０ｍｍの円を形成した。
【００５９】
次にポリスチレン樹脂からなる容器本体のフランジ部に上記蓋材をシールして、密封容器を作成した。尚、密封容器には味付け即席麺を収納した。
【００６０】
蓋材の摘み部を摘み、開封方向に外蓋を内蓋から剥離しながら熱湯注入口を形成し、第一外蓋切れ目線の部位まで剥離した。熱湯注入口から熱湯を注ぎ、外蓋を熱湯注入口へ覆い被せ、蒸らし調理を行った。この際に、容器本体を手に持って移動し揺れや振動などが発生しても、熱湯が漏れなかった。容器本体と蓋材との隙間がないために漏れがなかったのである。蒸らし作業の安全性が増し、火傷の心配がなく、かつ蒸らし効果の低下もなく調理ができた。
【００６１】
次に、蒸らし調理後、摘み部を掴み、開封方向と反対の方向に外蓋の繋ぎ部を引っ張り、第二外蓋切れ目線から外蓋を切り、第三内蓋切れ目線から内蓋を剥がし、蓋材を容器本体から剥離して取り除くことにより、容器本体に開口部が出現され、調理された即席麺を食することができた。
【産業上の利用可能性】
【００６２】
本発明の蓋材は、熱湯を注いで調理する、即席麺、スパゲッティ、マカロニ、乾麺、ハルサメなどを収納した容器に使用できる。また水で調理する食品などの容器にも可能である。
【符号の説明】
【００６３】
１    蓋材
２    外蓋
３    内蓋
４    剥離層
５  摘み部
６    第一内蓋切れ目線
７    第二内蓋切れ目線
８    第三内蓋切れ目線
９    第一外蓋切れ目線
１０    第二外蓋切れ目線
１１  熱湯注入口形成部
１２  熱湯注入口
１３  繋ぎ部
１４  容器本体
１５  フランジ部
１６  開口部
２０  積層体
２１  プラスチックフィルム（ポリエステルフィルム）
２２  紙層
２３  目止め層
２６  プラスチックフィルム（ポリエステルフィルム）
２７  アルミニウム箔
２８  シーラント層
３０  密封容器
５０  蒸らし調理中の容器
Ａ    開封方向
Ｂ    反対方向
【図１】
2014084130.tif 000003
【図２】
2014084130.tif 000004
【図３】
2014084130.tif 000005
【図４】
2014084130.tif 000006
【図５】
2014084130.tif 000007
【図６】
2014084130.tif 000008
【図７】
2014084130.tif 000009
【図８】
2014084130.tif 000010